(57)【特許請求の範囲】
【請求項１】
電子機器であって、
前記電子機器に含まれない他の機器を接続する接続用磁石を、前記他の機器が接続される部位に設けた外装と、
前記外装のうち前記他の機器が接続される部位に設けられており、前記接続用磁石のある側へ折り返し可能な可動部と、
前記可動部のうち、前記可動部が前記接続用磁石側へ折り返されると前記接続用磁石を覆う部位に設けられる磁気遮断部と、を備え、
前記外装は、前記可動部が前記接続用磁石の反対側へ折り返されると前記磁気遮断部で覆われる部位に前記可動部を留める第１の留め磁石を有する、
電子機器。
【請求項２】
電子機器であって、
前記電子機器に含まれない他の機器を接続する接続用磁石を、前記他の機器が接続される部位に設けた外装と、
前記外装のうち前記他の機器が接続される部位に設けられており、前記接続用磁石のある側へ折り返し可能な可動部と、
前記可動部のうち、前記可動部が前記接続用磁石側へ折り返されると前記接続用磁石を覆う部位に設けられる磁気遮断部と、を備え、
前記可動部は、前記可動部が前記接続用磁石の反対側へ折り返されると外側へ露出する部位に摩擦材を有する、
電子機器。
【請求項３】
前記可動部は、前記可動部が前記接続用磁石の反対側へ折り返されると外側へ露出する部位に摩擦材を有する、
請求項１に記載の電子機器。
【請求項４】
前記他の機器には、前記他の機器が前記接続用磁石によって前記外装と接続された状態で前記可動部が前記他の機器側へ折り返されると前記磁気遮断部で覆われる部位に前記可動部を留める第２の留め磁石が設けられている、
請求項１から３の何れか一項に記載の電子機器。
【請求項５】
前記第２の留め磁石は、前記接続用磁石に吸着させるための磁石である、
請求項４に記載の電子機器。
【発明の詳細な説明】
【技術分野】
【０００１】
本願は、電子機器に関する。
【背景技術】
【０００２】
近年、携帯可能な各種の電子機器が普及している（例えば、特許文献１を参照）。また、携帯可能な電子機器には、磁石によって着脱自在に接続可能な他の装置と組み合わせたものがある（例えば、特許文献２を参照）。
【先行技術文献】
【特許文献】
【０００３】
【特許文献１】特開２００６−２６２０５２号公報
【特許文献２】特表２０１４−５０８９９８号公報
【発明の概要】
【発明が解決しようとする課題】
【０００４】
電子機器を磁石によって着脱自在に接続する接続機構は、磁石の磁気が周囲へ影響を及ぼすことがある。例えば、磁石を用いた接続機構を備える電子機器は、鞄に収容されると、鞄に収容されている磁気カードや磁気テープといった磁気を用いた記録媒体に磁気の影響を及ぼす場合がある。タブレット型のパーソナルコンピュータにキーボードを取り付けるような接続機構の場合、接続機構に用いられる磁石は、磁気カードや磁気テープといった磁気を用いた記録媒体への情報の書き込みの際に用いられる磁気を大きく上回る強い磁気を放つ。よって、電子機器の接続機構に用いられる磁石が、磁気を用いた記録媒体へ近づくと、記録されている情報が消失する可能性がある。
【０００５】
そこで、本願は、他の機器との接続に用いられる磁石が周囲へ及ぼす磁気の影響を抑制可能な電子機器を開示する。
【課題を解決するための手段】
【０００６】
本願は、次のような電子機器を開示する。すなわち、本願で開示する電子機器は、前記電子機器に含まれない他の機器を接続する接続用磁石を、他の機器が接続される部位に設けた外装と、外装のうち他の機器が接続される部位に設けられており、接続用磁石のある側へ折り返し可能な可動部と、可動部のうち、可動部が接続用磁石側へ折り返されると接続用磁石を覆う部位に設けられる磁気遮断部と、を備え、前記外装は、前記可動部が前記接続用磁石の反対側へ折り返されると前記磁気遮断部で覆われる部位に前記可動部を留める第１の留め磁石を有する。
【発明の効果】
【０００７】
上記の電子機器であれば、他の機器との接続に用いられる磁石が周囲へ及ぼす磁気の影響を抑制可能である。
【図面の簡単な説明】
【０００８】
【図１】図１は、実施形態のパーソナルコンピュータを示した図である。
【図２】図２は、タブレットとキーボードとの接続部分の構造を示した図である。
【図３】図３は、可動部が接続保持部側へ折り返された状態を示した図である。
【図４】図４は、タブレットがキーボードに接続されている状態でタブレットの留め磁石から周囲へ放たれる磁気を示した図である。
【図５】図５は、タブレットの背面に可動部を留めた状態を示した図である。
【図６】図６は、パーソナルコンピュータを閉じた状態を示した図である。
【図７】図７は、キーボードの背面に可動部を留めた状態を示した図である。
【図８】図８は、摩擦材がテーブルに接触している状態を示した図である。
【図９】図９は、比較例のパーソナルコンピュータを示した図である。
【図１０】図１０は、タブレットがキーボードへ接続されていない状態における磁気の漏れの状態を示した図である。
【図１１】図１１は、タブレットがキーボードへ接続された状態における磁気の漏れの状態を示した図である。
【発明を実施するための形態】
【０００９】
以下、実施形態について説明する。以下に示す実施形態は、単なる例示であり、本開示の技術的範囲を以下の態様に限定するものではない。
【００１０】
図１は、実施形態のパーソナルコンピュータ（以下、「ＰＣ」という）を示した図である。実施形態のＰＣ１は、ＣＰＵ（Central Processing Unit）やメモリ、液晶パネル等
が内蔵されるコンピュータ装置であるタブレット２（本願でいう「他の機器」の一例である）と、タブレット２への文字入力をキー操作で行うためのキーボード３とを備える。キーボード３は、タブレット２の入力機能を補うものなので、タブレット２の機能を拡張する拡張装置として捉えることもできる。
【００１１】
キーボード３は、長方形の薄い板状の外装４を有する電子機器であり、外装４のタブレット２が接続される部位に接続用磁石を内蔵した凸形状の接続保持部５が設けられている。接続保持部５は、タブレット２に設けられた電気的な接点６と接触する端子７を間に挟むようにして外装４の２箇所に設けられている。２つの接続保持部５および端子７は、外装４の外周を形成する長手方向沿いの縁に沿って延在する棒状の接続部材８に設けられている。
【００１２】
タブレット２は、キーボード３と同等の大きさを有する長方形の薄い板状の電子機器である。タブレット２は、キーボード３が接続されるタブレット２の長手方向沿いの縁に、接続保持部５が嵌る凹形状の被嵌合部１０と、端子７が接触する接点６とを備える。また、タブレット２は、被嵌合部１０の中に、接続保持部５の接続用磁石に吸着させるための留め磁石１１を備える。留め磁石１１を内蔵した被嵌合部１０は、接点６を間に挟むようにしてタブレット２の２箇所に設けられている。なお、タブレット２は、タブレット２を斜めに立てた状態に保持するためのチルトスタンド１２が背面側に備わっている。
【００１３】
ところで、キーボード３には、外装４の接続部材８から延設されており、接続部材８側へ折り返し可能な可動部１３が備わっている。図２は、タブレット２とキーボード３との接続部分の構造を示した図である。可動部１３は、キーボード３の表面全体を形成する柔軟な素材（例えば、合成皮革）によって、接続部材８に対して回動可能に繋がっている。よって、接続部材８から延設される可動部１３は、接続用磁石を内蔵する接続保持部５のある側へ折り返し可能である。そして、可動部１３には、可動部１３が接続保持部５側へ折り返されると接続保持部５内の接続用磁石を覆う部位に磁性体９（本願でいう「磁気遮断部」の一例である）が設けられている。磁性体９を形成する素材としては、例えば、鉄を挙げることができる。磁性体９が鉄で形成されていれば、接続保持部５に内蔵されている接続用磁石の磁気を遮断できる。
【００１４】
また、可動部１３には、接続保持部５に接触する部分に摩擦材１４が設けられている。摩擦材１４を形成する素材としては、例えば、シリコン（Silicone）、ＴＰＵ（Thermoplastic Polyurethane）、エラストマ（Elastomer）、ＮＢＲ（Nitril-Butadiene Rubber）、ＥＰＤＭ（Ethylene Propylene Diene Monomer）等を挙げることができる。
【００１５】
なお、接続保持部５に内蔵されている接続用磁石は、図２に示されるように、凸形状の
接続保持部５の突出方向へ向けて磁気１５Ａを放つ。また、凹形状の被嵌合部１０に内蔵されている留め磁石１１は、被嵌合部１０の開口方向へ向けて磁気１５Ｂを放つ。そして、磁気１５Ａと磁気１５Ｂは、極性が互いに異なっている。よって、接続保持部５に内蔵されている接続用磁石とタブレット２の留め磁石１１は、磁力によって互いに引き寄せ合う。
【００１６】
図３は、可動部１３が接続保持部５側へ折り返された状態を示した図である。可動部１３が接続保持部５側へ折り返されると、接続保持部５内の接続用磁石は、磁気１５Ａを放っている側が、可動部１３に内蔵されている磁性体９で覆われる。よって、接続保持部５内の接続用磁石から接続保持部５の突出方向へ向けて放たれていた磁気１５Ａは、磁性体９によって遮断される。
【００１７】
上記のキーボード３は、可動部１３を接続保持部５側へ折り返すだけで、接続保持部５内の接続用磁石から周囲へ放たれていた磁気１５Ａを可動部１３の磁性体９で遮断できる。よって、上記のキーボード３であれば、タブレット２との接続に用いられる接続保持部５内の接続用磁石が周囲へ及ぼす磁気の影響を抑制可能である。したがって、例えば、可動部１３が接続保持部５側へ折り返された状態でキーボード３が鞄へ収容されれば、当該鞄に磁気カードや磁気テープといった磁気を用いた記録媒体が収容されていても、当該記録媒体に記録されている情報が接続保持部５から放たれる磁気１５Ａで消失する可能性が低い。また、上記のキーボード３は、可動部１３が接続保持部５側へ折り返されると、可動部１３が端子７を覆う状態にもなる。よって、キーボード３がタブレット２に接続されていない状態でも、端子７がキーボード３の周辺の物に接触する可能性を低減できる。
【００１８】
また、タブレット２に設けられている留め磁石１１は、凹形状の被嵌合部１０の中にあるため、タブレット２が鞄へ収容されても、鞄に収容されている磁気カードや磁気テープといった記録媒体が凹形状の被嵌合部１０内にある留め磁石１１へ接触しない。よって、記録媒体に記録されている情報が留め磁石１１から放たれる磁気１５Ｂで消失する可能性も低い。
【００１９】
なお、タブレット２がキーボード３に接続されている場合、可動部１３は、例えば、以下のような状態にすることができる。
【００２０】
図４は、タブレット２がキーボード３に接続されている状態でタブレット２の留め磁石１１から周囲へ放たれる磁気を示した図である。例えば、タブレット２の背面を形成する素材の都合で、キーボード３に接続された状態であってもタブレット２の背面から留め磁石１１の磁気１５Ｃが漏れているような場合、可動部１３は、タブレット２の背面から漏れる留め磁石１１の磁気１５Ｃでタブレット２の背面に吸着可能である。
【００２１】
図５は、タブレット２の背面に可動部１３を留めた状態を示した図である。例えば、タブレット２がキーボード３に接続されていても、タブレット２の背面から留め磁石１１の磁気１５Ｃが漏れる場合、可動部１３は、タブレット２側へ折り返されることにより、留め磁石１１の磁力で吸着されてタブレット２の背面に留められる。タブレット２の背面から漏れる留め磁石１１の磁気１５Ｃで可動部１３をタブレット２の背面に留めることが可能な場合、当該留め磁石１１は、本願でいう「第２の留め磁石」の一例に相当することになる。可動部１３が留め磁石１１の磁力でタブレット２の背面に留まると、可動部１３の垂れ下がりを防ぐことができる。
【００２２】
なお、ＰＣ１は、タブレット２の背面に可動部１３を留めたまま閉じることができる。図６は、ＰＣ１を閉じた状態を示した図である。接続部材８は、キーボード３の表面全体を形成する柔軟な素材によって、キーボード３の主要な部分に対して回動可能に繋がって
いる。よって、キーボード３に接続されたタブレット２が閉じられると、接続部材８がタブレット２と共に動く。したがって、接続部材８から延設される可動部１３は、タブレット２の背面に留まったままの状態でタブレット２の動きに追従することができる。
【００２３】
ところで、キーボード３には、接続保持部５に内蔵されている接続用磁石の磁気がキーボード３の背面側へ漏出するのを抑制するための磁性体１７を接続保持部５の底部に備わっている。よって、磁性体１７が多少の磁力を放つ磁石の場合、可動部１３は、例えば、以下のような状態にすることもできる。
【００２４】
図７は、キーボード３の背面に可動部１３を留めた状態を示した図である。磁性体１７が多少の磁力を放つ磁石であり、磁性体１７の磁気がキーボード３の背面側へ漏出している場合、可動部１３は、キーボード３の背面側へ折り返されることにより、磁性体１７の磁力で吸着されてキーボード３の背面に留められる。キーボード３の背面から漏れる磁性体１７の磁気で可動部１３をキーボード３の背面に留めることが可能な場合、当該磁性体１７は、本願でいう「第１の留め磁石」の一例に相当することになる。可動部１３が磁性体１７の磁力でキーボード３の背面に留まると、可動部１３の垂れ下がりを防ぐことができる。
【００２５】
ところで、可動部１３がキーボード３の背面に留まっている場合、摩擦材１４は、キーボード３の背面側で露出した状態になる。よって、例えば、キーボード３がテーブルに置かれると、摩擦材１４がテーブルに接触する。摩擦材１４がテーブルに接触すると、キーボード３がテーブルの上で滑りにくい。キーボード３がテーブルに対して滑りにくいと、ＰＣ１を操作するユーザが、ＰＣ１がテーブルを滑ることによる煩わしさを感じる可能性が低くなる。
【００２６】
なお、摩擦材１４によるキーボード３の滑り抑制効果は、キーボード３の背面から漏れる磁性体１７の磁気で可動部１３がキーボード３の背面に留まっている場合にのみ発揮されるものではない。図８は、摩擦材１４がテーブルに接触している状態を示した図である。例えば、図８に示されるように、キーボード３の背面側に折り返された可動部１３が接続部材８の下側よりもキーボード３の中心側に寄っており、可動部１３がキーボード３を傾斜させるチルトスタンドとしての役割を果たす場合、可動部１３は、キーボード３の背面に磁性体１７の磁力で留まらない。しかし、可動部１３は、キーボード３とテーブル１６との間に挟まれることにより、キーボード３の背面側へ折り返された状態が保持される。可動部１３がキーボード３の背面側へ折り返された状態でＰＣ１がテーブル１６に置かれると、摩擦材１４がテーブル１６に接触する。よって、ＰＣ１がテーブル１６の上で滑りにくい状態が実現され、ＰＣ１の設置安定性が増す。
【００２７】
図９は、比較例のＰＣを示した図である。比較例のＰＣ１０１は、実施形態のＰＣ１と同様、タブレット１０２とキーボード１０３とを備える。しかし、比較例のキーボード１０３には、実施形態のキーボード３に備わっていた可動部１３に相当するものが備わっていない。よって、キーボード１０３に設けられている接続保持部１０５に内蔵されている接続用磁石の磁気や、タブレット１０２の留め磁石１１１の磁気が周囲に漏れるのを抑制不能である。
【００２８】
図１０は、タブレット１０２がキーボード１０３へ接続されていない状態における磁気の漏れの状態を示した図である。実施形態のキーボード３に備わっていた可動部１３に相当するものが備わっていないキーボード１０３では、接続保持部１０５に内蔵されている接続用磁石から放たれる磁気１１５Ａを遮断することができない。よって、比較例のキーボード１０３が鞄へ収容されると、当該鞄に磁気カードや磁気テープといった磁気を用いた記録媒体が収容されている場合に、当該記録媒体に記録されている情報が接続保持部１
０５から放たれる磁気１１５Ａで消失する可能性が高い。一方、上記実施形態のキーボード３であれば、可動部１３を接続保持部５側へ折り返すだけで、接続保持部５内の接続用磁石から周囲へ放たれていた磁気１５Ａを遮断できるため、キーボード３を鞄へ収容しても、当該鞄に収容されている磁気カードや磁気テープといった磁気を用いた記録媒体の情報を消失させる可能性が低い。
【００２９】
また、実施形態のキーボード３に備わっていた磁性体９に相当するものが備わっていない比較例のようなキーボード１０３の場合、キーボード１０３がタブレット１０２に接続された状態のＰＣ１０１を鞄に収容しても、当該鞄に収容されている磁気カード等の記録媒体に記録されている情報を消失させる可能性がある。図１１は、タブレット１０２がキーボード１０３へ接続された状態における磁気の漏れの状態を示した図である。実施形態のキーボード３に備わっていた磁性体９に相当するものが備わっていない場合、キーボード１０３がタブレット１０２に接続された状態でも、例えば、図１１に示されるように、接続保持部１０５の磁気１１５Ａや留め磁石１１１の磁気１１５Ｂが漏れやすい。よって、キーボード１０３がタブレット１０２に接続された状態のＰＣ１０１を鞄に収容しても、当該鞄に収容されている磁気カード等の記録媒体に記録されている情報を消失させる可能性がある。一方、実施形態のＰＣ１では、接続保持部５や留め磁石１１から周囲へ漏れる磁気が磁性体９によって遮断されるので、磁性体９に相当するものが無い比較例のキーボード１０３をタブレット１０２に接続して鞄等に収容しても、当該鞄に収容されている磁気カード等の記録媒体に記録されている情報を消失させる可能性は、比較例のＰＣ１０１より低い。
【００３０】
なお、上記実施形態では、可動部１３がキーボード３に設けられていたが、可動部１３はキーボード３に代えてタブレット２に設けられていてもよい。可動部１３がタブレット２に設けられている場合、タブレット２は本願でいう「電子機器」の一例に相当し、キーボード３は本願でいう「他の機器」の一例に相当することになる。
【００３１】
また、上記実施形態では、タブレット２とキーボード３を接続するＰＣ１が例示されていたが、上記実施形態は、キーボード３以外の各種電子機器を、タブレット２あるいはタブレット２以外の各種電子機器と接続するものに変形してもよい。
【００３２】
また、上記実施形態では、タブレット２に留め磁石１１が設けられていたが、タブレット２には、接続保持部５に内蔵されている接続用磁石に磁力で保持されるものが留め磁石１１の代わりに設けられていてもよい。接続保持部５の接続用磁石に磁力で保持されるものとしては、留め磁石１１のような永久磁石以外に、例えば、鉄等の各種磁性体を挙げることができる。留め磁石１１に代えて鉄等の磁性体がタブレット２に設けられている場合も、上記実施形態と同様、キーボード３をタブレット２に接続保持部５の接続用磁石で接続することができる。
【符号の説明】
【００３３】
１，１０１・・ＰＣ：２，１０２・・タブレット：３，１０３・・キーボード：４・・外装：５，１０５・・接続保持部：６・・接点：７・・端子：８・・接続部材：９，１７・・磁性体：１０・・被嵌合部：１１，１１１・・留め磁石：１２・・チルトスタンド：１３・・可動部：１４・・摩擦材：１５Ａ，１５Ｂ，１５Ｃ，１１５Ａ，１１５Ｂ・・磁気：１６・・テーブル
【図１】
0006741936.tif 000002
【図２】
0006741936.tif 000003
【図３】
0006741936.tif 000004
【図４】
0006741936.tif 000005
【図５】
0006741936.tif 000006
【図６】
0006741936.tif 000007
【図７】
0006741936.tif 000008
【図８】
0006741936.tif 000009
【図９】
0006741936.tif 000010
【図１０】
0006741936.tif 000011
【図１１】
0006741936.tif 000012